(57)【要約】【課題】両面印刷を行う際に、ユーザにとって望ましい出力結果を実現するための利便性が向上された出力装置、出力制御装置および出力制御プログラムを提供する。【解決手段】出力データに基づいてシート状の記録媒体の両面にページを出力する出力装置において、出力データが表すページ中の文字の方向を解析することによってそのページの方向を認識するページ方向認識部と、記録媒体の両面のうち第１面に出力されるページの上下と第２面に出力されるページの上下との相対的な関係について同じ向きおよび逆向きのうちいずれかの関係を表す指令を入手する指令入手部と、出力データが表す複数のページを、記録媒体の両面に、指令入手部によって入手された指令が表す関係となるように、ページ方向認識部によって認識された方向に基づいて出力する出力部とを備える。【選択図】        図４
2006218760.tif 000002
【特許請求の範囲】
【請求項１】
各々が文字を含む複数のページを表した出力データに基づいてシート状の記録媒体の両面にページを出力する出力装置において、
前記出力データが表すページ中の文字の方向を解析することによって該ページの方向を認識するページ方向認識部と、
前記記録媒体の両面のうち第１面に出力されるページの上下と、該第１面に対する第２面に出力されるページの上下との相対的な関係について同じ向きおよび逆向きのうちいずれかの関係を表す指令を入手する指令入手部と、
前記出力データが表す複数のページを、前記記録媒体の両面に、前記指令入手部によって入手された指令が表す関係となるように、前記ページ方向認識部によって認識された方向に基づいて出力する出力部とを備えたことを特徴とする出力装置。
【請求項２】
この出力装置は、前記記録媒体の第１面にページを出力し、該記録媒体の表裏を反転させ、該第１面に対する第２面にページを出力するものであり、
前記ページ方向認識部が、ページの方向を、前記記録媒体の表裏反転における反転軸に対する平行方向および垂直方向のうちのいずれかの方向として認識するものであり、
前記出力部は、前記ページ方向認識部が平行方向と認識し、かつ、前記指令が同じ向きを表している第１の場合、および前記ページ方向認識部が垂直方向と認識し、かつ、前記指令が逆向きを表している第２の場合には、前記出力データが表す複数のページをそのまま順次に出力し、前記ページ方向認識部が平行方向と認識し、かつ、前記指令が逆向きを表している第３の場合、および前記ページ方向認識部が垂直方向と認識し、かつ、前記指令が同じ向きを表している第４の場合には、前記出力データが表すページの奇数ページおよび偶数ページのうちいずれか一方を上下逆転させて出力するものであることを特徴とする請求項１記載の出力装置。
【請求項３】
前記ページ方向認識部が、前記出力データが表す複数のページのうち少なくとも１ページ分についてページ中の文字の方向の統計をとり、その統計で最も頻度の高い方向をページの方向とみなして認識するものであることを特徴とする請求項１記載の出力装置。
【請求項４】
各々が文字を含む複数のページを表した出力データに基づいてシート状の記録媒体の両面にページを出力する出力装置の制御を行う出力制御装置において、
前記出力データが表すページ中の文字の方向を解析することによって該ページの方向を認識するページ方向認識部と、
前記記録媒体の両面のうち第１面に出力されるページの上下と、該第１面に対する第２面に出力されるページの上下との相対的な関係について同じ向きおよび逆向きのうちいずれかの関係を表す指令を入手する指令入手部と、
前記出力データが表す複数のページが前記記録媒体の両面に、前記指令入手部によって入手された指令が表す関係となって出力されるように、前記ページ方向認識部によって認識された方向に基づいてページの方向を制御して該ページを前記出力装置に出力させるページ方向制御部とを備えたことを特徴とする出力制御装置。
【請求項５】
前記出力装置は、前記記録媒体の第１面にページを出力し、該記録媒体の表裏を反転させ、該第１面に対する第２面にページを出力するものであり、
前記ページ方向認識部が、ページの方向を、前記記録媒体の表裏反転における反転軸に対する平行方向および垂直方向のうちのいずれかの方向として認識するものであり、
前記ページ方向制御部は、前記ページ方向認識部が平行方向と認識し、かつ、前記指令が同じ向きを表している第１の場合、および前記ページ方向認識部が垂直方向と認識し、かつ、前記指令が逆向きを表している第２の場合には、前記出力データが表す複数のページをそのまま順次に出力させ、前記ページ方向認識部が平行方向と認識し、かつ、前記指令が逆向きを表している第３の場合、および前記ページ方向認識部が垂直方向と認識し、かつ、前記指令が同じ向きを表している第４の場合には、前記出力データが表すページの奇数ページおよび偶数ページのうちいずれか一方を上下逆転して出力させるものであることを特徴とする請求項４記載の出力制御装置。
【請求項６】
前記ページ方向認識部が、前記出力データが表す複数のページのうち少なくとも１ページ分についてページ中の文字の方向の統計をとり、その統計で最も頻度の高い方向をページの方向とみなして認識するものであることを特徴とする請求項４記載の出力制御装置。
【請求項７】
コンピュータシステムに組み込まれ、該コンピュータシステムに、
各々が文字を含む複数のページを表した出力データに基づいてシート状の記録媒体の両面にページを出力する出力装置の制御を行わせる出力制御プログラムであって、
該コンピュータシステム上で、
前記出力データが表すページ中の文字の方向を解析することによって該ページの方向を認識するページ方向認識部と、
前記記録媒体の両面のうち第１面に出力されるページの上下と、該第１面に対する第２面に出力されるページの上下との相対的な関係について同じ向きおよび逆向きのうちいずれかの関係を表す指令を入手する指令入手部と、
前記出力データが表す複数のページを、前記記録媒体の両面に、前記指令入手部によって入手された指令が表す関係となるように、前記ページ方向認識部によって認識された方向に基づいて出力するページの方向の制御を行うページ方向制御部とを構築することを特徴とする出力制御プログラム。
【発明の詳細な説明】
【技術分野】
【０００１】
本発明は、文字を含む複数のページを表した出力データに基づいてシート状の記録媒体の両面にページを出力する出力装置、出力装置の制御を行う出力制御装置および出力制御プログラムに関する。
【背景技術】
【０００２】
近年、コンピュータを中心とする情報技術の発展とともに、得られた情報を印刷する手段としてのプリンタや、プリンタに関する周辺技術が広く普及している。
【０００３】
プリンタの中には、出力用紙の片面上に１ページ分の文字や画像を印刷した後、さらにこの出力用紙の表裏を反転させて出力用紙のもう一方の面上に次のページの文字や画像を印刷することにより出力用紙の両面に印刷する機能を備えた、いわゆる両面プリンタもある（例えば、特許文献１参照）。
【０００４】
両面印刷を行う場合では、出力される印刷物を読む際の便宜を考慮すると、出力用紙の片方の面に出力されたページの上下と、もう一方の面に出力されたページの上下とが同じ向きになっている形態（出力用紙の表面の印刷内容と裏面の印刷内容とがいわゆる「天と天」の関係にある形態）の方がユーザにとって望ましい場合と、逆に、出力用紙に出力されたページの上下と、もう一方の面に出力されたページの上下とが反対向きになっている形態（出力用紙の表面の印刷内容と裏面の印刷内容とがいわゆる「天と地」の関係にある形態）の方がユーザにとって望ましい場合とがある。
【０００５】
従来では、両面印刷によって得られる印刷物を本のように綴じた際に、ページを綴じる位置が出力用紙の短辺になる「短辺綴じ」か、あるいはページを綴じる位置が出力用紙の長辺になる「長辺綴じ」かを、ユーザがコンピュータの画面上で選択することにより、コンピュータがページの出力方向の制御を行い、結果として「天と天」、あるいは「天と地」の形態の両面印刷を実現することが行われている。
【特許文献１】特開２００４−５４８０２号公報
【発明の開示】
【発明が解決しようとする課題】
【０００６】
一方、プリンタによって出力が行われる際の出力用紙の使用形態には、出力用紙の長辺方向をページの上下方向とする、いわゆる縦長式の使用形態と、出力用紙の短辺方向をページの上下方向とする、いわゆる横長式の使用形態とがある。縦長式と横長式とでは、「天」の方向が互いに９０°異なるため、両面印刷を行う際に、出力用紙の表裏面に印刷される印刷内容の相対的関係（すなわち「天と天」、あるいは「天と地」）が、ユーザの望む関係になるようにするためには、縦長式か、あるいは横長式かに応じて、ユーザ自身がコンピュータの画面上で「短辺綴じ」、あるいは「長辺綴じ」の指定を使い分けることが必要になる。このような使い分けを行うためには、どのような出力結果が得られるかをあらかじめ検討した上で指定を行う必要があり、ユーザに負担がかかる。このため、ユーザの中には、このような「短辺綴じ」、あるいは「長辺綴じ」の指定により、ユーザにとって望ましい出力結果を実現する方式は、わかりにくく難しいと考えるユーザもいる。
【０００７】
本発明は、上記事情に鑑み、両面印刷を行う際に、ユーザにとって望ましい出力結果を実現するための利便性が向上された出力装置、出力制御装置および出力制御プログラムを提供することを目的とする。
【課題を解決するための手段】
【０００８】
上記目的を達成するための本発明の出力装置は、各々が文字を含む複数のページを表した出力データに基づいてシート状の記録媒体の両面にページを出力する出力装置において、
上記出力データが表すページ中の文字の方向を解析することによって該ページの方向を認識するページ方向認識部と、
上記記録媒体の両面のうち第１面に出力されるページの上下と、該第１面に対する第２面に出力されるページの上下との相対的な関係について同じ向きおよび逆向きのうちいずれかの関係を表す指令を入手する指令入手部と、
上記出力データが表す複数のページを、上記記録媒体の両面に、上記指令入手部によって入手された指令が表す関係となるように、上記ページ方向認識部によって認識された方向に基づいて出力する出力部とを備えたことを特徴とする。
【０００９】
本発明の出力装置は、出力データが表すページ中の文字の方向からそのページの方向を
認識することができるため、ユーザが「天と天」や「天と地」を指定するだけでユーザにとって望ましい出力結果が実現される。
【００１０】
なお、本発明の出力装置において、「出力データによって表される複数のページ」にいうページとは、１枚の記録媒体の片方の面に出力される出力データの内容全体を指す。従って、例えば、出力データが文書を表すデータであり、その文書の２ページ分の内容が、いわゆる２枚組みの形式で、記録媒体の片方の面に出力される場合であっても、本発明にいう出力装置においては、この文書の２ページ分の内容を１ページとしてみなす。
【００１１】
また、本発明の出力装置において、「上記記録媒体の第１面にページを出力し、該記録媒体の表裏を反転させ、該第１面に対する第２面にページを出力するものであり、
上記ページ方向認識部が、ページの方向を、上記記録媒体の表裏反転における反転軸に対する平行方向および垂直方向のうちのいずれかの方向として認識するものであり、
上記出力部は、上記ページ方向認識部が平行方向と認識し、かつ、上記指令が同じ向きを表している第１の場合、および上記ページ方向認識部が垂直方向と認識し、かつ、上記指令が逆向きを表している第２の場合には、上記出力データが表す複数のページをそのまま順次に出力し、上記ページ方向認識部が平行方向と認識し、かつ、上記指令が逆向きを表している第３の場合、および上記ページ方向認識部が垂直方向と認識し、かつ、上記指令が同じ向きを表している第４の場合には、上記出力データが表すページの奇数ページおよび偶数ページのうちいずれか一方を上下逆転させて出力するものである」という形態は、好ましい形態である。
【００１２】
このように、認識されたページ方向と与えられた指令とに応じて、出力データが表す複数のページをそのまま順次に出力するか、奇数ページおよび偶数ページのうちいずれか一方を上下逆転させて出力するかの出力順序の制御を行うことで、記録媒体の両面のうちの第１面に出力されたページの上下と、第２面に出力されるページの上下との相対的な関係を、入手された指令が表す関係にすることができる。
【００１３】
また、本発明の出力装置において、「上記ページ方向認識部が、上記出力データが表す複数のページのうち少なくとも１ページ分についてページ中の文字の方向の統計をとり、その統計で最も頻度の高い方向をページの方向とみなして認識するものである」という形態も、好ましい形態である。
【００１４】
このような形態により、ページ中の文字が様々な方向を向いているようなページを有する出力データに対しても、ページの上下方向を定義することができる。
【００１５】
上記目的を達成するための本発明の出力制御装置は、
各々が文字を含む複数のページを表した出力データに基づいてシート状の記録媒体の両面にページを出力する出力装置の制御を行う出力制御装置において、
上記出力データが表すページ中の文字の方向を解析することによってそのページの方向を認識するページ方向認識部と、
上記記録媒体の両面のうち第１面に出力されるページの上下と、その第１面に対する第２面に出力されるページの上下との相対的な関係について同じ向きおよび逆向きのうちいずれかの関係を表す指令を入手する指令入手部と、
上記出力データが表す複数のページが上記記録媒体の両面に、上記指令入手部によって入手された指令が表す関係となって出力されるように、上記ページ方向認識部によって認識された方向に基づいてページの方向を制御してそのページを上記出力装置に出力させるページ方向制御部とを備えたことを特徴とする。
【００１６】
本発明の出力制御装置は、出力データが表すページ中の文字の方向からそのページの方向を認識することができるため、ユーザが「天と天」や「天と地」を指定するだけでユーザにとって望ましい出力結果が実現される。
【００１７】
なお、本発明の出力制御装置において、「出力データによって表される複数のページ」にいうページとは、１枚の記録媒体の片方の面に出力される出力データの内容全体を指す。従って、例えば、出力データが文書を表すデータであり、その文書の２ページ分の内容が、いわゆる２枚組みの形式で、記録媒体の片方の面に出力される場合であっても、本発明にいう出力装置においては、この文書の２ページ分の内容を１ページとしてみなす。
【００１８】
また、本発明の出力制御装置において、「上記出力装置は、上記記録媒体の第１面にページを出力し、その記録媒体の表裏を反転させ、その第１面に対する第２面にページを出力するものであり、
上記ページ方向認識部が、ページの方向を、上記記録媒体の表裏反転における反転軸に対する平行方向および垂直方向のうちのいずれかの方向として認識するものであり、
上記ページ方向制御部は、上記ページ方向認識部が平行方向と認識し、かつ、上記指令が同じ向きを表している第１の場合、および上記ページ方向認識部が垂直方向と認識し、かつ、上記指令が逆向きを表している第２の場合には、上記出力データが表す複数のページをそのまま順次に出力させ、上記ページ方向認識部が平行方向と認識し、かつ、上記指令が逆向きを表している第３の場合、および上記ページ方向認識部が垂直方向と認識し、かつ、上記指令が同じ向きを表している第４の場合には、上記出力データが表すページの奇数ページおよび偶数ページのうちいずれか一方を上下逆転して出力させるものである」という形態は、好ましい形態である。
【００１９】
このように、認識されたページ方向と与えられた指令とに応じて、出力データが表す複数のページをそのまま順次に出力するか、奇数ページおよび偶数ページのうちいずれか一方を上下逆転させて出力するかの出力順序の制御を行うことで、記録媒体の両面のうちの第１面に出力されたページの上下と、第２面に出力されるページの上下との相対的な関係を、入手された指令が表す関係にすることができる。
【００２０】
また、本発明の出力制御装置において、「上記ページ方向認識部が、上記出力データが表す複数のページのうち少なくとも１ページ分についてページ中の文字の方向の統計をとり、その統計で最も頻度の高い方向をページの方向とみなして認識するものである」という形態も、好ましい形態である。
【００２１】
このような形態により、ページ中の文字が様々な方向を向いているようなページを有する出力データに対しても、ページの上下方向を定義することができる。
【００２２】
上記目的を達成するための本発明の出力制御プログラムは、コンピュータシステムに組み込まれ、そのコンピュータシステムに、
各々が文字を含む複数のページを表した出力データに基づいてシート状の記録媒体の両面にページを出力する出力装置の制御を行わせる出力制御プログラムであって、
そのコンピュータシステム上で、
上記出力データが表すページ中の文字の方向を解析することによってそのページの方向を認識するページ方向認識部と、
上記記録媒体の両面のうち第１面に出力されるページの上下と、その第１面に対する第２面に出力されるページの上下との相対的な関係について同じ向きおよび逆向きのうちいずれかの関係を表す指令を入手する指令入手部と、
上記出力データが表す複数のページを、上記記録媒体の両面に、上記指令入手部によって入手された指令が表す関係となるように、上記ページ方向認識部によって認識された方向に基づいて出力するページの方向の制御を行うページ方向制御部とを構築することを特徴とする。
【００２３】
この本発明の出力制御プログラムをコンピュータシステム内で実行することによって、本発明の出力制御装置を容易に実現することができる。
【００２４】
なお、本発明にいう出力制御プログラムについては、ここではその基本形態のみを示すにとどめるが、これは単に重複を避けるためであり、本発明にいう出力制御プログラムには、上記の基本形態のみでなく、前述した出力制御装置の各形態に対応する各種の形態が含まれる。
【００２５】
さらに、本発明の出力制御プログラムがコンピュータシステム上に構築する指令入手部などといった要素は、１つの要素が１つのプログラム部品によって構築されるものであってもよく、１つの要素が複数のプログラム部品によって構築されるものであってもよく、複数の要素が１つのプログラム部品によって構築されるものであってもよい。また、これらの要素は、そのような作用を自分自身で実行するものとして構築されていてもよく、あるいは、コンピュータシステムに組み込まれている他のプログラムやプログラム部品に指示を与えて実行するものとして構築されていてもよい。
【発明の効果】
【００２６】
本発明の出力装置、出力制御装置および出力制御プログラムによれば、両面印刷を行う際に、ユーザにとって望ましい出力結果を実現するための利便性を向上することができる。
【発明を実施するための最良の形態】
【００２７】
以下、本発明の出力装置の一実施形態について説明する。
【００２８】
図１は、本発明の出力装置の一実施形態が適用されたプリントシステムの全体構成図である。
【００２９】
このプリントシステムは、コンピュータを使って印刷物を作成するＤＴＰ（ＤｅｓｋＴｏｐ  Ｐｕｂｌｉｓｈｉｎｇ）が適用されたシステムであり、オペレータがパーソナルコンピュータ１００を使って編集した文字や画像を含むページを、本発明の出力装置の一実施形態として動作する両面プリンタ２１７０で出力するシステムである。パーソナルコンピュータ１００では、オペレータにより、文字や画像を含むページが電子的に編集され、編集されたページを表すページ記述データが生成される。このページ記述データは、いわゆるＰＤＬ（Ｐａｇｅ  Ｄｅｓｃｒｉｐｔｉｏｎ  Ｌａｎｇｕａｇｅ）で記述された言語データであり、このページ記述データは、まず両面プリンタ２１７０の有するプリントコントローラ１０に入力され、プリントコントローラ１０において紙の上に出力可能なデータ形式であるラスターデータに変換された後、両面プリンタ２１７０の出力部１１から出力される。この両面プリンタ２１７０には、出力用紙の片面に印刷する機能とともに、出力用紙の第１面にページを出力後、出力用紙の表裏を反転させて出力用紙の第２面にページを出力することで、出力用紙の両面に印刷する機能も備えている。例えば、図に示す片面印刷物２１０ａのように、１枚目の出力用紙の片面に「あいうえお」と印刷し、２枚目の出力用紙の片面に「かきくけこ」と印刷する片面印刷を行うこともでき、また、図に示す両面印刷物２１０ｂのように、１枚の出力用紙の片面に「あいうえお」と印刷し、さらにその出力用紙の反対側の面に「かきくけこ」と印刷する両面印刷を行うこともできる。そのどちらの出力様式が選択されるかは、オペレータの指示により決定される。
【００３０】
続いて、このプリントシステムにおいて用いられる出力用紙の使用形態について説明する。
【００３１】
図２は、図１に示すプリントシステムにおいて用いられる出力用紙の使用形態を表す模式図である。
【００３２】
出力用紙の片面上に文字や画像を出力する際の出力用紙の使用形態としては、出力用紙の長辺方向をページの上下方向とする、いわゆる縦長式の使用形態と、出力用紙の短辺方向をページの上下方向とする、いわゆる横長式の使用形態とがある。図２のパート（ａ）では、縦長使用の例として「Ｆ」の文字が出力用紙の長辺方向を向いている使用形態が示されており、図２のパート（ｂ）では、横長使用の例として「Ｆ」の文字が出力用紙の短辺方向を向いている使用形態が示されている。
【００３３】
さらに両面印刷の場合には、前述の縦長式の使用形態、横長式の使用形態に加えて、両面印刷を行う際の出力用紙の使用形態として、出力用紙の片方の面に出力されたページの上下と、もう一方の面に出力されたページの上下とが同じ方向になっている使用形態、いわゆる「天と天」の使用形態と、出力用紙に出力されたページの上下と、もう一方の面に出力されたページの上下とが反対方向になるようになっている使用形態、いわゆる「天と地」の使用形態との２種類の使用形態がある。例えば、各ページに「Ｆ」の文字が表されている、複数ページからなるページ記述データが、ラスターデータに変換されて出力される場合には、縦長式かつ「天と天」の使用形態では、図２のパート（１ａ）に示すように、出力用紙の長辺方向を軸としてページを開いたときに、「Ｆ」の文字が、どのページも長辺方向の上から下へ向いている形態となり、横長式かつ「天と天」の使用形態では、図２のパート（１ｂ）に示すように、出力用紙の短辺方向を軸としてページを開いたときに、「Ｆ」の文字が、どのページも短辺方向の上から下へ向いている形態となる。一方、縦長式かつ「天と地」の使用形態では、図２のパート（２ａ）に示すように、出力用紙の短辺方向を軸としてページを開いたときに、どのページもの長辺方向の上から下へ向いており、このとき、出力用紙の片面上の「Ｆ」の文字の向きは、その出力用紙の反対側の面上の「Ｆ」の文字の向きと比べて、１８０°反転している形態となっている。同様に、横長式かつ「天と地」の使用形態では、図２のパート（２ｂ）に示すように、出力用紙の長辺方向を軸としてページを開いたときに、「Ｆ」の文字が、どのページも短辺方向の上から下へ向いており、このとき、出力用紙の片面上の「Ｆ」の文字の向きは、その出力用紙の反対側の面上の「Ｆ」の文字の向きと比べて、１８０°反転している形態となっている。
【００３４】
続いてこのような、４種類の出力形態の両面印刷を行うために、ユーザにより図１に示すパーソナルコンピュータ１００上で与えられる指示について説明する。
【００３５】
図３は、図１に示すパーソナルコンピュータの表示画面に表示された設定画面を示す図である。
【００３６】
設定画面８００には、図に示すように、１ページ分の印刷内容に対する出力枚数を設定するためのコピー部数設定部８１０、片面／両面印刷、縦長／横長使用の出力形式を設定するための印刷パターン設定部８２０、表面のページの上下と裏面のページの上下との相対的な関係を設定するためのページ方向設定部８３０、複数のページからなる一連の画像データが送られてきたときに出力するページを設定するための印刷範囲設定部８４０、用紙のサイズを設定するための用紙設定部８６０とが備えられており、さらに、設定内容を確定するＯＫボタン８８１と、設定内容を中止するキャンセルボタン８８２とが備えられている。
【００３７】
印刷パターン設定部８２０において、ユーザにより、縦長使用、あるいは横長使用の指定が行われると、コンピュータ１００は、縦長使用が指定された場合と、横長使用が指定された場合とで、印刷内容を相対的に９０°回転させてプリンタに送る。この結果、印刷パターン設定部８２０においてユーザによって与えられた、縦長使用、あるいは横長使用の指定自体が図１に示すプリンタ２１７０側に伝えられることはなく、後述するように、送られて来るページ記述データの文字の方向を両面プリンタ２１７０自身が解析することでページの上下方向が認識され、ユーザが望んだ出力結果が実現される。
【００３８】
コピー部数、片面／両面印刷、表面のページの上下と裏面のページの上下との相対的な関係（「天と天」／「天と地」）、印刷範囲、用紙のサイズについての決定は、両面プリンタ２１７０側に伝えられ、この決定に従った出力が行われる。
【００３９】
この図においては、例として、コピー部数設定部８１０、印刷パターン設定部８２０
、ページ方向設定部８３０、印刷範囲設定部８４０、用紙設定部８６０において、それぞれコピー部数「１部」、「両面・縦長使用」、「天と天」、「全ページ」、「Ａ４」が選択されている状態が示されている。この状態でＯＫボタン８８１を選択することにより、出力内容を、縦長使用かつ「天と天」の形態の両面印刷で全ページをＡ４の出力用紙に１部出力することが決定される。
【００４０】
以上説明したプリントシステムにおいて、両面プリンタ２１７０が本発明の出力装置の一実施形態に相当しており、以下、この両面プリンタ２１７０について説明する。
【００４１】
図４は、本発明の出力装置の一実施形態に相当する両面プリンタ内部の構成要素と、それらの構成要素による作用の概略を表す図である。
【００４２】
ここでは、この図４を用いて、両面プリンタ２１７０内部の構成要素と、それらの構成要素による作用の概略について説明し、その作用の具体的な詳細については、図５に示すフローチャートの説明において詳述する。
【００４３】
図１に示すパーソナルコンピュータ１００から、ＰｏｓｔＳｃｒｉｐｔ（登録商標）やＰＤＦのデータ形式で表された出力対象のページ記述データと、このページ記述データを出力するためにユーザから与えられた、図３で説明した出力形態についての指示とが、両面プリンタ２１７０内のプリントコントローラ１０に送られる。このときユーザから与えられた、図３で説明した出力形態についての指示のうち、片面印刷か両面印刷かについては、そのプリントコントローラ１０に備えられている出力態様取得部１に伝えられ、コピー部数、表面および裏面それぞれのページの向き（「天と天」／「天と地」）、印刷範囲、用紙のサイズについての指示については指令入手部２を介して出力部１１に伝えられる。パーソナルコンピュータ１００から送られたページ記述データは、ユーザの指示する出力形態が片面印刷か両面印刷かに応じて、出力態様取得部１により処理が分岐される。片面印刷の場合は、そのページ記述データは、そのままＲＩＰ１０１に送られ、ＲＩＰ１０１により出力用のラスターデータに変換された後、出力部１１から片面印刷の出力態様で出力される。両面印刷の場合は、ページ方向認識部３により、このページ記述データのページの方向が解析された後、ＲＩＰ１０１に送られ、ＲＩＰ１０１により出力用のラスターデータに変換されて出力部１１に送られる。出力部１１は、ページ方向認識部３によるページの方向についての解析結果と、指令入手部２から伝えられた両面印刷に関するユーザの指示とに応じて、出力順序の制御を行って出力を行う。
【００４４】
以上が、両面プリンタ２１７０内部の構成要素と、それらの構成要素による作用の概略についての説明である。
【００４５】
続いて、これらの構成要素による作用の具体的な詳細について説明する。
【００４６】
図５は、ページ記述データが入力されてから出力が行われるまでの、図１に示す両面プリンタ内部の構成要素の作用を表すフローチャート図である。
【００４７】
ページ記述データが入力されると、このページ記述データを出力するために図３に示す設定画面においてユーザから指示された出力態様が、片面印刷と両面印刷のいずれであるかが図４に示す出力態様取得部１により判定される（ステップＳ１）。片面印刷が指示されている場合（ステップＳ１；Ｎｏ）は、ＲＩＰ１０１によりラスターデータに変換されて（ステップＳ６）出力される。両面印刷が指示されている場合（ステップＳ１；Ｙｅｓ）は、続いて図４に示すページ方向認識部３により、ページ記述データ中で定義づけられた、ページ中の文字の向きを解析することによってページの上下の方向が求められ、この方向が両面印刷を行われる際に出力用紙が反転される反転軸に対して平行か垂直かが判定される（ステップＳ２）。以下では、出力用紙の長軸方向を反転軸として両面印刷が行われる場合を具体的な例として説明するが、本実施形態の読取装置がユーザの望む出力結果を実現する上で、反転軸が出力用紙の長軸方向である必然性はない。
【００４８】
次に、図６を用いて、このようなページ中の文字の向きを決定する方法について説明する。
【００４９】
図６のパート（ａ）は、１ページ中に文字方向が互いに異なる文字が混在しているページの例を表す図である。
【００５０】
図６のパート（ａ）に示すように文字方向が互いに異なる文字が混在しているページに対しては、両面プリンタ２１７０の有するページ方向認識部３は、このページに含まれている文字の文字方向について統計をとり、最も多い文字方向をページの上下の方向として決定する。
【００５１】
図６のパート（ｂ）は、図６（ａ）に示す文字方向が互いに異なる文字が混在しているページに対し、文字方向についての統計結果を表す図である。
【００５２】
図６のパート（ｂ）では、この図６（ａ）の上部の「衝撃！」の文字のように、文字方向がこのページの上から下への向きになっている文字は、０°方向を向いている０°文字として定義され、この図６のパート（ａ）中の「今日の「え？ホント！？」」の文字のように、文字方向がこのページの右から左への向きになっている文字は、９０°文字として定義されている。同様に、文字方向がこのページの下から上への向きになっている文字は、１８０°文字として定義され、文字方向がこのページの左から右への向きになっている文字は、２７０°文字として定義される。このページでは、０°文字が１７４４字存在し、９０°文字が、「今日の「え？ホント！？」」の１２字存在し、１８０°文字および２７０°文字は両方とも存在しない。従って、図６のパート（ａ）に示すページでは、０°文字が最も多く存在し、この０°文字の向きがページの上下として決定され、この結果、両面プリンタ２１７０の反転軸に対して、ページの上下方向は平行であると判定される。
【００５３】
このように、ページ中に複数の文字が存在し、それらが様々な方向を向いている場合でも、ページに含まれている文字の文字方向について統計をとることで、ページの上下の方向が決定される。
【００５４】
図５に戻って説明を続ける。両面プリンタ２１７０の反転軸に対して、ページの上下方向は平行であると判定された場合（ステップＳ２；Ｙｅｓ）は、次に両面印刷の場合の出力用紙の使用形態として、「天と天」の使用形態がユーザにより指示されているか否かが、図４に示す指令入手部２により判定され（ステップＳ４）、その結果が、図４に示す出力部１１に伝えられる。「天と地」の使用形態が指示されている場合（ステップＳ４；Ｎｏ）には、ＲＩＰ１０１によりラスターデータに変換された後（ステップＳ５）、図１に示す出力部１１により、出力方向がページごとに１８０°反転、すなわち出力されるページのうち奇数ページの上下と偶数ページの上下とが逆向きになるようにして出力が行われる。
【００５５】
一方、上記ステップＳ４において、「天と天」の使用形態が指示されている場合（ステップＳ４；Ｙｅｓ）は、ＲＩＰ１０１によりラスターデータに変換された後（ステップＳ６）、出力方向が反転されることなくそのまま出力される。
【００５６】
以下では、上記ステップＳ２において反転軸に対して平行と判定された状況で、「天と天」が指示されているか、あるいは「天と地」が指示されているかに応じて行われる出力方向の制御について、各ページに「Ｆ」の文字が表されている、複数ページからなるラスターデータが両面印刷される場合を例として図７を用いて説明する。
【００５７】
図７のパート（１ａ）は、反転軸に対して平行と判定され、かつ「天と天」の使用形態が指示されていると判定された場合の両面印刷の過程を表す模式図である。
【００５８】
まず、出力用紙２０１の第１面２０１Ａ上に「Ｆ」の文字が、縦長式の使用形態で印刷される。両面印刷を行うためには、この出力用紙２０１を反転させる必要があるが、この両面プリンタ２１７０は、図７のパート（１ａ）に示すように、出力用紙２０１の長軸方向を反転軸１５としてこの出力用紙２０１を反転させる。反転後、出力用紙２０１の第２面２０１Ｂ上に「Ｆ」の文字が、出力用紙２０１の第１面２０１Ａ上に印刷された「Ｆ」の文字方向２０１ｃと同じ文字方向２０１ｄに印刷され、「天と天」の使用形態の両面印刷が行われる。
【００５９】
図７のパート（２ａ）は、反転軸に対して平行と判定され、かつ「天と地」の使用形態が指示されていると判定された場合の両面印刷の過程を表す模式図である。
【００６０】
出力用紙２０２の第１面２０２Ａ上に「Ｆ」の文字が、縦長式の使用形態で印刷され、反転軸１５を軸にしてこの出力用紙２０２が反転させられる。反転後、出力用紙２０２の第２面２０２Ｂ上に「Ｆ」の文字が、図７のパート（２ａ）に示すように、出力用紙２０２の第１面２０２Ａ上に印刷された「Ｆ」の文字方向２０２ｃとは、反対の文字方向、すなわち１８０°回転された文字方向２０２ｄに印刷され、「天と地」の使用形態の両面印刷が行われる。
【００６１】
このように、反転軸に対して平行と判定された状況の中でも、さらに「天と天」が指示されているか、あるいは「天と地」が指示されているかに応じて出力方向が制御されて出力が行われる。
【００６２】
以上が、図５に示すステップＳ２において反転軸に対して平行と判定された状況の下で、「天と天」が指示されているか、あるいは「天と地」が指示されているかに応じて行われる出力方向の制御についての説明である。
【００６３】
続いて、図５に示すステップＳ２において反転軸に対して垂直と判定された状況の下で行われる出力方向の制御についての説明する。
【００６４】
ステップＳ２において反転軸に対して垂直と判定された場合（ステップＳ２；Ｎｏ）は、続いて「天と天」の使用形態がユーザにより指示されているか否かが、図４に示す指令入手部２により判定され（ステップＳ３）、その結果が、図４に示す出力部１１に伝えられる。「天と天」の使用形態が指示されている場合（ステップＳ３；Ｙｅｓ）には、ＲＩＰ１０１によりラスターデータに変換された後（ステップＳ５）、出力部１１により、出力方向がページごとに１８０°反転させられ、出力されるページのうち奇数ページの上下と偶数ページの上下とが逆向きになるようにして出力が行われる。
【００６５】
一方、上記ステップＳ３において「天と地」の使用形態が指示されている場合（ステップＳ３；Ｎｏ）は、ＲＩＰ１０１によりラスターデータに変換された後（ステップＳ６）、出力方向が反転されることなくそのまま出力される。
【００６６】
以下では、上記ステップＳ２において反転軸に対して垂直と判定された状況で、「天と天」が指示されているか、あるいは「天と地」が指示されているかに応じて行われる出力方向の制御について図７を用いて説明する。
【００６７】
図７のパート（１ｂ）は、反転軸に対して垂直と判定され、かつ「天と天」の使用形態が指示されていると判定された場合の両面印刷の過程を表す模式図である。
【００６８】
出力用紙２０３の第１面２０３Ａ上に「Ｆ」の文字が、横長式の使用形態で印刷され、反転軸１５を軸にしてこの出力用紙２０３が反転させられる。反転後、出力用紙２０３の第２面２０３Ｂ上に「Ｆ」の文字が、図７のパート（１ｂ）に示すように、出力用紙２０３の第１面２０３Ａ上に印刷された「Ｆ」の文字方向２０３ｃとは、反対の文字方向、すなわち１８０°回転された文字方向２０３ｄに印刷され、「天と天」の使用形態の両面印刷が行われる。
【００６９】
図７のパート（２ｂ）は、反転軸に対して垂直と判定され、かつ「天と地」の使用形態が指示されていると判定された場合の両面印刷の過程を表す模式図である。
【００７０】
出力用紙２０４の第１面２０４Ａ上に「Ｆ」の文字が、横長式の使用形態で印刷され、反転軸１５を軸にしてこの出力用紙２０４が反転させられる。反転後、出力用紙２０４の第２面２０４Ｂ上に「Ｆ」の文字が、図７のパート（２ｂ）に示すように、出力用紙２０４の第１面２０４Ａ上に印刷された「Ｆ」の文字方向２０４ｃとは、同じ文字方向２０４ｄに印刷され、「天と地」の使用形態の両面印刷が行われる。
【００７１】
このように、反転軸に対して平行と判定された状況の中でも、さらに「天と天」の使用形態が指示されているか、あるいは「天と地」の使用形態が指示されているかに応じて出力方向が制御されて出力が行われる。
【００７２】
以上が図４に示す構成要素による作用についての説明である。
【００７３】
以上説明したように、この両面プリンタ２１７０は、出力データが表すページ中の文字の方向からそのページの方向を認識することができるため、ユーザが「天と天」や「天と地」を指定するだけでユーザにとって望ましい出力結果が実現される。
【００７４】
なお、本実施形態の両面プリンタ２１７０は、文字方向について解析を行うことによりページの方向を定義する出力装置であるが、本発明の出力装置は、ページ中に文字に加えてさらに画像が含まれる場合には、このページ中の画像の向きについても、図６で説明したような統計をとり、この統計結果を考慮に入れてページの方向を定義する出力装置であってもよい。だだし、この場合、画像は意図的に画像の向きを回転させて用いられることも多いため、ページの方向を定義するためには、文字の向きについての解析結果を優先的に採用し、画像の向きについての解析結果は、ページの方向を定義するために補助的に用いることが好ましい。
【００７５】
また、本実施形態の両面プリンタ２１７０は、ページの向きが認識されることを通じて、出力される複数ページをファイルに綴じる際に都合のよい穴あけの位置や、出力される複数ページにステープルを行って綴じるために都合のよいステープルの位置を把握することができる。本発明の出力装置は、このことを利用して、ページの向きを認識するとともに、出力される複数ページを綴じるためのスペースを、出力データに応じた都合のよい位置に設ける出力装置であってもよい。
【００７６】
次に本発明の出力制御装置の一実施形態、および出力制御プログラムの一実施形態について説明する。
【００７７】
図８は、本発明の出力制御装置の一実施形態が適用された出力システムの全体構成図である。
この出力システムは、コンピュータを使って印刷物を作成するＤＴＰ（ＤｅｓｋＴｏｐ  Ｐｕｂｌｉｓｈｉｎｇ）が適用されたシステムであり、オペレータがパーソナルコンピュータ１００’を使って編集した文字や画像を含むページを両面プリンタ２１７０’で出力するシステムである。パーソナルコンピュータ１００’には、カラースキャナ（図示しない）で原稿画像が読み取られて生成された画像データや、デジタルカメラ（図示しない）で撮影された撮影画像に基づく画像データなどがページ編集の素材として入力される。パーソナルコンピュータ１００’では、オペレータにより、文字や入力された画像データに基づく画像を含むページが電子的に編集され、編集されたページを表すページ記述データが生成される。このページ記述データは、いわゆるＰＤＬ（Ｐａｇｅ  Ｄｅｓｃｒｉｐｔｉｏｎ  Ｌａｎｇｕａｇｅ）で記述された言語データであり、このままでは、両面プリンタ２１７０’で出力することはできない。そこで、このページ記述データはＲＩＰ１０１’に入力され、ＲＩＰ１０１’において、両面プリンタ２１７０’で出力可能なラスターデータに変換される。変換後のラスターデータは、両面プリンタ２１７０’に入力され、両面プリンタ２１７０’では、その入力されたラスターデータに基づき、片面印刷物２１０ａや両面印刷物２１０ｂが出力される。片面印刷や両面印刷を行う際の、出力形態についての指示の与え方については、図３で説明した出力形態についての指示の与え方と同様であり、ここでは重複説明は省略する。
【００７８】
このパーソナルコンピュータ１００’は、文字や画像を含むページの編集や、編集したページを表すページ記述データからラスターデータへのデータ変換処理に加えて、両面プリンタ２１７０’が両面印刷を行う際の出力の制御も行い、図８に示す出力システムにおいて中心的な役割を果たす。この出力システムにおける、本発明の出力制御装置の一実施形態としての特徴は、このパーソナルコンピュータ１００’で実行される制御の内容にあり、このパーソナルコンピュータ１００’が、本発明の出力制御装置の一実施形態として動作する。以下では、このパーソナルコンピュータ１００’について詳しく説明する。
【００７９】
図９は、本発明の出力制御装置の一実施形態として動作するパーソナルコンピュータの外観斜視図、図１０は、そのハードウェア構成図である。
【００８０】
このパーソナルコンピュータ１００’は、後述するＣＰＵ、ＲＡＭメモリ、ハードディスク等を内蔵した本体部１１０、本体部１１０からの指示により表示画面１２１に画面表示を行なう画像表示装置１２０、このパーソナルコンピュータ１００’内にユーザの指示や文字情報を入力するためのキーボード１３０、表示画面１２１上の任意の位置を指定することによりその位置に応じた指示を入力するマウス１４０を備えている。
【００８１】
本体部１１０は、さらにフレキシブルディスク（以下ＦＤと略す）が装填されるＦＤ装填口１１１、ＣＤ−ＲＯＭが装填されるＣＤ−ＲＯＭ装填口１１２を有しており、その内部には、装填されたＦＤやＣＤ−ＲＯＭをドライブする、後述するＦＤドライブ、ＣＤ−ＲＯＭドライブも内蔵されている。
【００８２】
本体部１１０の内部には、図１０に示すように、各種プログラムを実行するＣＰＵ２１１、ハードディスク装置２１３に格納されたプログラムが読み出されＣＰＵ２１１での実行のために展開される主メモリ２１２、各種プログラムやデータ等が保存されたハードディスク装置２１３、ＦＤ２１４０が装填され、その装填されたＦＤ２１４０にアクセスするＦＤドライブ２１４、ＣＤ−ＲＯＭ２１５０が装填され、その装填されたＣＤ−ＲＯＭ２１５０にアクセスするＣＤ−ＲＯＭドライブ２１５が内蔵されている。これらの各種要素と、さらに、図９にも示す画像表示装置１２０、キーボード１３０、マウス１４０は、バス１２００を介して相互に接続されている。また、パーソナルコンピュータ１００’の外部には、画像を出力するための両面プリンタ２１７０’が備えられており、それぞれに向けてパーソナルコンピュータ１００’から出力データを送るために、パーソナルコンピュータ１００’には出力インタフェース２１７が内蔵されている。また、不図示のスキャナーなどの外部機器と接続して画像データを入力するために、パーソナルコンピュータ１００’には入力インタフェース２１６が内蔵されている。これら出力インタフェース２１７および入力インタフェース２１６も、パーソナルコンピュータ１００’内部のハードウェアを構成する上述の各種要素と、バス１２００を介して相互に接続されている。
【００８３】
このパーソナルコンピュータ１００’では、パーソナルコンピュータ１００’のユーザは、出力対象となる画像データを、入力インタフェース２１６から入力してハードディスク装置２１３に保存することができ、また画像データが記録されているＦＤ２１４０やＣＤ−ＲＯＭ２１５０から、それぞれＦＤドライブ２１４、ＣＤ−ＲＯＭドライブ２１５を介してハードディスク装置２１３に保存することもできる。本実施形態の出力制御装置として動作するパーソナルコンピュータ１００’では、出力対象となる画像データは、このようにしてハードディスク装置２１３に保存された画像データであるが、本発明の出力制御装置は、ハードディスク装置２１３に限定せず、ＦＤドライブ２１４、ＣＤ−ＲＯＭドライブ２１５にそれぞれ装填されたＦＤ２１４０やＣＤ−ＲＯＭ２１５０に保存された画像データを用いる出力制御装置であってもよい。
【００８４】
次に本発明の出力制御プログラムの一実施形態について説明する。
【００８５】
本発明の出力制御プログラムの一実施形態が、例えばＣＤ−ＲＯＭ２１５０に記憶されている場合には、このＣＤ−ＲＯＭ２１５０がＣＤ−ＲＯＭ装填口１１２から本体１１０内に装填されると、そのＣＤ−ＲＯＭ２１５０に記憶された出力制御プログラムがＣＤ−ＲＯＭドライブ２１５によりこのパーソナルコンピュータ１００’のハードディスク装置２１３内にインストールされる。そして、このハードディスク装置２１３内にインストールされた出力制御プログラムが起動されると、このパーソナルコンピュータ１００’は、本発明の出力制御装置の一実施形態として動作する。
【００８６】
図１１は、本発明の出力制御プログラムの一実施形態を示す図である。
【００８７】
ここでは、この出力制御プログラム９００は、ＣＤ−ＲＯＭ２１５０に記憶されている。なお、本発明にいう出力制御プログラム９００が記憶される記憶媒体としては、図１１に示すＣＤ−ＲＯＭ２１５０のみならず、図１０に示すハードディスク装置２１３やＦＤ２１４０、図１０および図１１には不図示のＤＶＤやＭＯ等といった種々の記憶媒体が採用されうる。
【００８８】
この出力制御プログラム９００は、図９および図１０に示すパーソナルコンピュータ１００’内で実行され、上述したように、そのパーソナルコンピュータ１００’を本発明の一実施形態として動作させるものであり、出力態様取得部２１、指令入手部２２、ページ方向認識部２３、ＲＩＰ生成部２１０１、およびページ方向制御部２１１を有している。
【００８９】
この出力制御プログラム９００の各要素の詳細な内容については後述する。
【００９０】
図１２は、図９および図１０に示すパーソナルコンピュータを本発明の出力制御装置の一実施形態として動作させるためにこのパーソナルコンピュータ上に構築される要素と、それらの要素による作用の概略を表す図である。
【００９１】
図１１に示す出力制御プログラム９００が図９および図１０に示すパーソナルコンピュータ１００’にインストールされると、図１２に示す出力態様取得部１’、指令入手部２’、ページ方向認識部３’、ＲＩＰ１０１’、およびページ方向制御部１１’の各要素がパーソナルコンピュータ１００’上に構築される。これらの要素の作用によって、パーソナルコンピュータ１００’が本発明の出力制御装置の一実施形態として動作する。出力態様取得部１’、指令入手部２’、ページ方向認識部３’、ＲＩＰ１０１’、およびページ方向制御部１１’は、図１１に示す出力制御プログラム９００における、出力態様取得部２１、指令入手部２２、ページ方向認識部２３、ＲＩＰ生成部２１０１、およびページ方向制御部２１１それぞれによってパーソナルコンピュータ１００’上に構築されるものである。従って図１２の各要素は図１１の各要素に対応するが、この図１２の各要素は、図９および図１０に示すパーソナルコンピュータ１００’のハードウェアとそのパーソナルコンピュータ１００’で実行されるＯＳやアプリケーションプログラムとの組合せで構成されているのに対し、図１１に示す出力制御プログラム９００の各要素はそれらのうちのアプリケーションプログラムのみにより構成されている点が異なる。以下では、図１２に示す各要素と、各要素による作用の概略について説明する。
【００９２】
ＰｏｓｔＳｃｒｉｐｔ（登録商標）やＰＤＦのデータ形式で表された出力対象のページ記述データに対し、このページ記述データを出力するためにユーザから与えられた、図３で説明した出力形態についての指示に基づき、処理が開始される。
【００９３】
ユーザから与えられた、図３で説明した出力形態についての指示のうち、片面印刷か両面印刷かについては、そのパーソナルコンピュータ１００’に備えられている出力態様取得部１’に伝えられ、コピー部数、表面および裏面それぞれのページの向き（「天と天」／「天と地」）、印刷範囲、用紙のサイズについての指示については指令入手部２’を介してページ方向制御部１１’に伝えられる。
【００９４】
出力対象のページ記述データは、ユーザの指示する出力形態が片面印刷か両面印刷かに応じて、出力態様取得部１’により処理が分岐される。片面印刷の場合は、そのページ記述データは、そのままＲＩＰ１０１’に送られ、ＲＩＰ１０１’により出力用のラスターデータに変換された後、両面プリンタ２１７０’に送られる。両面印刷の場合は、ページ方向認識部３’により、このページ記述データのページの方向が解析された後、ＲＩＰ１０１’に送られ、ＲＩＰ１０１’により出力用のラスターデータに変換されてページ方向制御部１１’に送られる。ページ方向制御部１１’は、ページ方向認識部３’によるページの方向についての解析結果と、指令入手部２’から伝えられた両面印刷に関するユーザの指示とに応じて、出力順序の制御を行って出力を行う。
【００９５】
両面印刷の際に行われる具体的な制御の内容については、前述の本発明の出力装置の一実施形態である両面プリンタ２１７０において、出力部１１が両面印刷の際に行うラスターデータの出力方向の制御を、パーソナルコンピュータ１００’上に構築されるページ方向制御部１１’が行って両面プリンタ２１７０’により両面印刷が行われ、また、両面プリンタ２１７０において、出力態様取得部１、指令入手部２、ページ方向認識部３、ＲＩＰ１０１がそれぞれ果たした役割を、パーソナルコンピュータ１００’上に構築される出力態様取得部１’、指令入手部２’、ページ方向認識部３’、ＲＩＰ１０１’がそれぞれ果たす点を除けば、図５〜図７で説明した両面印刷の制御と同様の制御が行われる。この結果、このパーソナルコンピュータ１００’は、前述の、本発明の出力装置の一実施形態として動作する両面プリンタ２１７０と同様に、両面印刷を行う際にユーザにとって望ましい出力結果を実現するための利便性を向上することができる。
【図面の簡単な説明】
【００９６】
【図１】本発明の出力装置の一実施形態が適用されたプリントシステムの全体構成図である。
【図２】図１に示すプリントシステムにおいて用いられる出力用紙の使用形態を表す模式図である。
【図３】図１に示すパーソナルコンピュータの表示画面に表示された設定画面を示す図である。
【図４】本発明の出力装置の一実施形態に相当する両面プリンタ内部の構成要素と、それらの構成要素による作用の概略を表す図である。
【図５】ページ記述データが入力されてから出力が行われるまでの、図１に示す両面プリンタ内部の構成要素の作用を表すフローチャート図である。
【図６】１ページ中に文字方向が互いに異なる文字が混在しているページの例と、このページの文字の向きについての統計結果を表す図である。
【図７】出力用紙の両面に印刷が行われる過程を表す模式図である。
【図８】本発明の出力制御装置の一実施形態が適用された出力システムの全体構成図である。
【図９】本発明の出力制御装置の一実施形態として動作するパーソナルコンピュータの外観斜視図である。
【図１０】図９に示すパーソナルコンピュータのハードウェア構成図である。
【図１１】本発明の出力制御プログラムの一実施形態を示す図である。
【図１２】図９および図１０に示すパーソナルコンピュータを本発明の出力制御装置の一実施形態として動作させるためにこのパーソナルコンピュータ上に構築される要素と、それらの要素による作用の概略を表す図である。
【符号の説明】
【００９７】
１  出力態様取得部
２  指令入手部
３  ページ方向認識部
１０  プリントコントローラ
１１  出力部
１５  反転軸
１００  パーソナルコンピュータ
１０１  ＲＩＰ
２１７０  両面プリンタ
２０１  出力用紙
２０１Ａ  第１面
２０１Ｂ  第２面
２０１ｃ、２０１ｄ  文字方向
２０２  出力用紙
２０２Ａ  第１面
２０２Ｂ  第２面
２０２ｃ、２０２ｄ  文字方向
２０３  出力用紙
２０３Ａ  第１面
２０３Ｂ  第２面
２０３ｃ、２０３ｄ  文字方向
２０４  出力用紙
２０４Ａ  第１面
２０４Ｂ  第２面
２０４ｃ、２０４ｄ  文字方向
２１０ａ  片面印刷物
２１０ｂ  両面印刷物
８００  設定画面
８１０  コピー部数設定部
８２０  印刷パターン設定部
８３０  ページ方向設定部
８４０  印刷範囲設定部
８６０  用紙設定部
８８１  ＯＫボタン
８８２  キャンセルボタン
１００’  パーソナルコンピュータ
１１０  本体部
１１１  ＦＤ装填口
１１２  ＣＤ−ＲＯＭ装填口
１２０  画像表示装置
１２１  表示画面
１３０  キーボード
１４０  マウス
１２００  バス
２１１  ＣＰＵ
２１２  主メモリ
２１３  ハードディスク装置
２１４  ＦＤドライブ
２１４０  ＦＤ
２１５  ＣＤ−ＲＯＭドライブ
２１５０  ＣＤ−ＲＯＭ
２１６  入力インタフェース
２１７  出力インタフェース
２１７０’  両面プリンタ
１０１’  ＲＩＰ
１’  出力態様取得部
２’  指令入手部
３’  ページ方向認識部
１１’   ページ方向制御部
２１０１  ＲＩＰ生成部
２１  出力態様取得部
２２  指令入手部
２３  ページ方向認識部
２１１   ページ方向制御部
【図１】
2006218760.tif 000003
【図２】
2006218760.tif 000004
【図３】
2006218760.tif 000005
【図４】
2006218760.tif 000006
【図５】
2006218760.tif 000007
【図６】
2006218760.tif 000008
【図７】
2006218760.tif 000009
【図８】
2006218760.tif 000010
【図９】
2006218760.tif 000011
【図１０】
2006218760.tif 000012
【図１１】
2006218760.tif 000013
【図１２】
2006218760.tif 000014